(57)【要約】【課題】記録再生複合機におけるダビング操作を容易にする。【解決手段】ＶＴＲ記録再生部３と、ＤＶＤ−Ｒ／ＲＷ記録再生部５と、ＶＴＲ側表示パネル／ＬＥＤ１１ａと、ＤＶＤ−Ｒ／ＲＷ側表示パネル／ＬＥＤ１１ｂと、外部入力インターフェイス部３１ａと、チューナ部３１と、内部入力スイッチ３３と、外部出力スイッチ３５と、出力端子３７と、制御部４１と、を含んで構成され、制御部４１は、ＶＴＲ→ＤＶＤダビング起動時に、記録側のＤＶＤ−Ｒ／ＲＷ記録再生部５に実際に入力され記録されている信号の内容をそのまま外部に出力するように制御する。【選択図】  図３
2004234705.tif 000002
【特許請求の範囲】
【請求項１】
情報の記録と再生とが可能な情報記録再生部を複数内蔵する記録再生複合機であって、
複数の前記記録再生部からの出力のいずれかを出力する共通出力端子と、
複数の前記記録再生部からの出力のうちのいずれを前記共通出力端子から外部に出力するかを切り替える外部出力スイッチと、
複数の前記記録再生部間における記録再生処理及び前記外部出力スイッチにおけるスイッチング処理を制御する制御部であって、第１の情報記録再生部から該第１の情報記録再生部と異なる第２の情報記録再生部への情報のダビング処理期間中に、前記第２の情報記録再生部に記録中の情報を前記共通出力端子から出力するように前記外部出力スイッチを制御する制御部と
を有する記録再生複合機。
【請求項２】
前記第２の情報記録再生部が記録の際に対応可能な第１の情報に関するストリーム数が、前記第１の情報記録再生部が再生の際に対応可能な前記第１の情報に関するストリーム数よりも少ないことを特徴とする請求項１に記載の記録再生複合機。
【請求項３】
前記制御部は、ダビング処理の起動時に前記第２の情報記録再生部に記録する情報を前記共通出力端子から出力するように前記外部出力スイッチを制御することを特徴とする請求項１又は２に記載の記録再生複合機。
【請求項４】
さらに、複数の前記記録再生部からの出力のうちのいずれを前記共通出力端子から外部に出力するかを前記外部出力スイッチに対して指示することができる出力選択機構を有しており、
前記制御部が、ダビング処理期間中は前記出力選択機構の動作を禁止するように制御することを特徴とする請求項１から３までのいずれか１項に記載の記録再生複合機。
【請求項５】
さらに、複数の前記記録再生装置におけるダビング処理の際の再生側装置と記録側装置とを指定するダビング方向キーと関連付けされており、
前記制御部は前記ダビング方向キーの操作に基づいて前記記録側装置からの出力信号を前記共通出力端子に出力させるように前記外部出力スイッチの切り替え制御を行うことを特徴とする請求項１から４までのいずれか１項に記載の記録再生複合機。
【請求項６】
情報の記録と再生とが可能な情報記録再生部を複数内蔵する記録再生複合機であって、
複数の前記記録再生部からの出力のいずれかを出力する共通出力端子と、
複数の前記記録再生部からの出力のうちのいずれを前記共通出力端子から外部に出力するかを切り替える外部出力スイッチと、
複数の前記記録再生部間における記録再生処理及び前記外部出力スイッチにおけるスイッチング処理を制御する制御部であって、第１の情報記録再生部から該第１の情報記録再生部と異なる第２の情報記録再生部への情報のダビング処理期間中に、前記第１の情報記録再生部において再生されている記録メディアの属性（記録メディアの種類又は該記録メディアに記録されている記録形態の種類）に関する記録メディア属性情報を検知しこれを報知するための制御を行う制御部とを有する記録再生複合機。
【請求項７】
前記制御部は、ダビング処理起動時に、前記記録メディア属性情報を前記共通出力端子から出力するように前記外部出力スイッチの切り替え制御を行うことを特徴とする請求項６に記載の記録再生複合機。
【請求項８】
さらに、複数の前記記録再生装置におけるダビング処理の際の再生側装置と記録側装置とを指定するダビング方向キーと関連付けされており、
前記制御部は前記ダビング方向キーの操作に基づいて前記記録側装置からの出力信号を前記共通出力端子に出力させるように前記外部出力スイッチの切り替え制御を行うことを特徴とする請求項６又は７に記載の記録再生複合機。
【請求項９】
さらに、前記記録メディア属性情報に基づく表示を行う機器表示部を有していることを特徴とする請求項６から８までのいずれか１項に記載の記録再生複合機。
【請求項１０】
前記機器表示部は、前記記録再生部のそれぞれに対応して設けられており、記録側の前記記録再生部に設けられた機器表示部に、再生側の記録再生部において再生されている記録メディア属性情報を表示することを特徴とする請求項９に記載の記録再生複合機。
【請求項１１】
情報の記録と再生とが可能な情報記録再生部を複数内蔵する記録再生複合機であって、
複数の前記記録再生部間における記録再生処理を制御する制御部であって、第１の情報記録再生部から該第１の情報記録再生部と異なる第２の情報記録再生部への情報のダビング起動時に、前記第２の情報記録再生部が記録可能な状態になったか否かを検知し、記録可能な状態になった旨を検知した時点で前記第１の情報記録再生部に対して再生処理の開始を指示するとともに、前記第２の情報記録再生部に対して記録処理の開始を指示する制御を行う制御部を有する記録再生複合機。
【請求項１２】
情報の記録と再生とが可能な情報記録再生部を複数内蔵する記録再生複合機であって、
複数の前記記録再生部間における記録再生処理を制御する制御部であって、第１の情報記録再生部から該第１の情報記録再生部と異なる第２の情報記録再生部への情報のダビング起動時に、前記第２の情報記録再生部が記録可能な状態になったか否かを検知し、記録可能な状態になった旨を検知した時点で前記第１の情報記録再生部を再生処理可能状態にする制御を行う制御部を有する記録再生複合機。
【請求項１３】
さらに、前記制御部は、再生処理可能状態になった前記第１の情報記録再生部に対して再生処理の開始が指示された後に、前記第２の情報記録再生部に対する録画処理の開始も指示されるように制御を行うことを特徴とする請求項１２に記載の記録再生複合機。
【請求項１４】
情報の記録と再生とが可能な情報記録再生部を複数内蔵する記録再生複合機であって、
複数の前記記録再生部間における記録再生処理を制御する制御部であって、第１の情報記録再生部から該第１の情報記録再生部と異なる第２の情報記録再生部への情報のダビング起動時に、前記第１の情報記録再生部が再生可能な状態になったか否かを検知し、再生可能な状態になった旨を検知した時点で、前記第２の情報記録再生部の記録処理を開始するとともに、前記第１の情報記録再生部に再生処理を開始する旨の指示を与える制御を行う制御部を有する記録再生複合機。
【請求項１５】
情報の記録と再生とが可能な情報記録再生部を複数内蔵する記録再生複合機であって、
複数の前記記録再生部間における記録再生処理を制御する制御部であって、第１の情報記録再生部から該第１の情報記録再生部と異なる第２の情報記録再生部への情報のダビング起動時に、前記第１の情報記録再生部が再生可能な状態になったか否かを検知し、再生可能な状態になった旨を検知した時点で、前記第２の情報記録再生部を記録処理が可能な状態にする制御を行う制御部を有する記録再生複合機。
【請求項１６】
さらに、前記制御部は、録画処理が可能な状態になった前記第２の情報記録再生部に対して録画処理の開始が指示された後に、前記第１の情報記録再生部の再生処理の開始も指示するように制御を行うことを特徴とする請求項１４に記載の記録再生複合機。
【請求項１７】
情報の記録と再生とが可能な情報記録再生部を複数内蔵する記録再生複合機であって、
複数の前記記録再生部間における記録再生処理を制御する制御部であって、第１の情報記録再生部から該第１の情報記録再生部と異なる第２の情報記録再生部への情報のダビング処理における少なくとも外部からのダビング開始指示を受け付けてから実際のダビング処理が実行されるまでの準備期間中、ダビング処理の準備中である旨を報知する出力を行うための制御を行う制御部を有する記録再生複合機。
【請求項１８】
前記制御部は、前記準備期間中、他の処理に関する指示の受付けを禁止する制御を行うことを特徴とする請求項１７に記載の記録再生複合機。
【請求項１９】
情報の記録と再生とが可能な情報記録再生部を複数内蔵する記録再生複合機であって、
外部からの入力情報を入力する入力部と、該入力部からの入力情報を複数の前記記録再生部のいずれに入力するかを切り替える内部入力スイッチと、
複数の前記記録再生部からの出力のいずれかを出力する共通出力端子と、
複数の前記記録再生部からの出力のうちのいずれを前記共通出力端子から外部に出力するかを切り替える外部出力スイッチと、
複数の前記記録再生部間における記録再生処理及び前記外部出力スイッチにおけるスイッチング処理を制御する制御部と
を有する記録再生複合機。
【発明の詳細な説明】
【０００１】
【発明の属する技術分野】
本発明は、映像信号や音声信号などの各種情報を記録／再生することができる複数の機器を内蔵する記録再生複合機に関し、特に、情報のダビングの際の制御技術に関する。
【０００２】
【従来の技術】
従来、記録再生機は、例えばテレビジョン（以下、「テレビ」と称する。）放送をＶＴＲ（Ｖｉｄｅｏ  ｔａｐｅ  ｒｅｃｏｒｄｅｒ）、ＶＣＲ（Ｖｉｄｅｏｃａｓｓｅｔｔｅ  ｒｅｃｏｒｄｅｒ）などに記録し、その後に記録されたテレビ放送の内容を再生する機能を有するものが多く開発されてきた。
【０００３】
最近、テレビ画面の高画質化と、情報記録技術の多様化・高度化に伴って、ＶＴＲ等以外に、ＣＤ（Ｃｏｍｐａｃｔ  ｄｉｓｋ）やＤＶＤ（Ｄｉｇｉｔａｌ  ｖｅｒｓａｔａｉｌ  ｄｉｓｋ）などのテープとは異なるディスク記憶媒体を用いた記録再生技術の開発も盛んになってきている。
【０００４】
それに伴い、ＶＴＲとＤＶＤ−ＲＯＭ、ＣＶＤ−Ｖｉｄｅｏ、ＤＶＤ−Ｒ等との２種類の異なる媒体を１つの機器を用いて再生でき、かつ、上記ＤＶＤ等の記録内容をＶＴＲにダビングできる、いわゆる複合機も開発されている。
【０００５】
例えば、同一装置内にディスク再生部と磁気記録再生部とを備え、１つのボタンを押すだけでディスク再生部による音声／映像の再生信号を磁気記録再生部で記録可能とするワンタッチダビング機能を備えた記録再生装置がある（例えば、特許文献１参照）。この装置では、ビデオＣＤを再生してその記録情報をビデオテープにダビングする場合に、キー操作部内に設けたダビング操作ボタンを押すことによって、内部制御部がビデオＣＤ再生部を再生状態にし、ＶＣＲ側を記録状態に自動的に切り替えてダビングを実行することができる。この際、実際に外部に出力される信号は、使用者が手動で選択する。また、ダビングを行う場合は、使用者が手動で位相合わせを行っていた。
【特許文献１】
特開平７−３１２０２０号公報
【０００６】
【発明が解決しようとする課題】
複数の記録再生部を内蔵する複合機の場合、出力端子から出力される信号として再生側の記録再生部を手動で選択するため、例えば再生中の信号をそのまま出力する選択をした場合、ユーザが記録していると認識している内容と実際に記録している内容とが一致していないことに後から気が付く場合もある。例えば、ＤＶＤ−Ｒ／ＤＶＤ−ＲＷのビデオ・フォーマット時には、ユーザが、メニュー表示画面などを見ながら録画状態を指定する必要がある。例えば、ビデオ・フォーマットでは、二カ国語の主音声、副音声を同時には記録できないため、予め、メニュー画面において設定した主音声又は副音声の何れかを記録する。従って、記録再生部の出力信号をそのまま出力し続けると、ユーザには主音声は聞こえてくるが実際の記録メディアには副音声が録画されている場合などもあり、ダビングが終了するまで設定の誤りに気が付かない可能性もある。特に、再生側よりも記録側のストリーム数が少ない場合に問題となる。
【０００７】
また、異なる記録メディアを用いてダビングする場合には、録画準備に要する時間と再生準備に要する時間とが異なる場合も多くなる。この場合に、どのように位相合わせを行うかについての技術は提示されていなかった。
本発明は、複数の記録再生部を内蔵する複合機におけるダビング技術を提供することを目的とする。
【０００８】
【課題を解決するための手段】
本発明の一観点によれば、情報の記録と再生とが可能な情報記録再生部を複数内蔵する記録再生複合機であって、複数の前記記録再生部からの出力のいずれかを出力する共通出力端子と、複数の前記記録再生部からの出力のうちのいずれを前記共通出力端子から外部に出力するかを切り替える外部出力スイッチと、複数の前記記録再生部間における記録再生処理及び前記外部出力スイッチにおけるスイッチング処理を制御する制御部であって、第１の情報記録再生部から該第１の情報記録再生部と異なる第２の情報記録再生部への情報のダビング処理期間中に、前記第２の情報記録再生部に記録中の情報を前記共通出力端子から出力するように前記外部出力スイッチを制御する制御部とを有する記録再生複合機が提供される。
【０００９】
上記記録再生複合機によれば、再生側から記録側へのダビング処理期間中に、実際に記録側に記録されている信号を外部に出力するように制御するため、ユーザは、記録される情報が意図した情報であるか否かを正確に知ることが出来る。特に、前記第２の情報記録再生部が記録の際に対応可能な第１の情報に関するストリーム数が、前記第１の情報記録再生部が再生の際に対応可能な前記第１の情報に関するストリーム数よりも少ない場合に効果的である。
【００１０】
本発明の他の観点によれば、情報の記録と再生とが可能な情報記録再生部を複数内蔵する記録再生複合機であって、複数の前記記録再生部からの出力のいずれかを出力する共通出力端子と、複数の前記記録再生部からの出力のうちのいずれを前記共通出力端子から外部に出力するかを切り替える外部出力スイッチと、複数の前記記録再生部間における記録再生処理及び前記外部出力スイッチにおけるスイッチング処理を制御する制御部であって、第１の情報記録再生部から該第１の情報記録再生部と異なる第２の情報記録再生部への情報のダビング処理期間中に、前記第１の情報記録再生部において再生されている記録メディアの属性に関する記録メディア属性情報を検知しこれを報知するための制御を行う制御部と
を有する記録再生複合機が提供される。
【００１１】
上記記録再生複合機によれば、再生側の記録メディアの属性を報知することができるため、記録メディアが意図したものであるか否かを確認することができる。尚、記録メディアの属性とは、例えば、記録メディアの種類又は該記録メディアに記録されている記録形態の種類に関する情報を含む。
【００１２】
本発明のさらに他の観点によれば、情報の記録と再生とが可能な情報記録再生部を複数内蔵する記録再生複合機であって、複数の前記記録再生部間における記録再生処理を制御する制御部であって、第１の情報記録再生部から該第１の情報記録再生部と異なる第２の情報記録再生部への情報のダビング起動時に、前記第２の情報記録再生部が記録可能な状態になったか否かを検知し、記録可能な状態になった旨を検知した時点で前記第１の情報記録再生部に対して再生処理の開始を指示するとともに、前記第２の情報記録再生部に対して記録処理の開始を指示する制御を行う制御部を有する記録再生複合機が提供される。
【００１３】
上記記録再生複合機によれば、ダビング起動時に、記録側が記録可能な状態になった旨を検知した時点で再生側に再生処理の開始を指示するとともに、記録側に対して記録処理の開始を指示するため、再生と記録との位相合わせを正確に行うことができる。
【００１４】
本発明のさらに他の観点によれば、情報の記録と再生とが可能な情報記録再生部を複数内蔵する記録再生複合機であって、複数の前記記録再生部間における記録再生処理を制御する制御部であって、第１の情報記録再生部から該第１の情報記録再生部と異なる第２の情報記録再生部への情報のダビング起動時に、前記第２の情報記録再生部が記録可能な状態になったか否かを検知し、記録可能な状態になった旨を検知した時点で前記第１の情報記録再生部を再生処理可能状態にする制御を行う制御部を有する記録再生複合機が提供される。上記再生記録複合機によれば、記録側が記録可能な状態になった旨を検知した時点で再生側を再生処理可能状態にするため、記録可能状態でないにもかかわらず再生のみを開始してしまうのを防止することができる。
【００１５】
さらに、前記制御部は、再生処理可能状態になった前記第１の情報記録再生部に対して再生処理の開始が指示された後に、前記第２の情報記録再生部に対する録画処理の開始が指示されるように制御を行うのが好ましい。このように制御することにより、再生と記録の位相合わせを自動的に行うことができる。
【００１６】
さらに、本発明の別の観点によれば、情報の記録と再生とが可能な情報記録再生部を複数内蔵する記録再生複合機であって、複数の前記記録再生部間における記録再生処理を制御する制御部であって、第１の情報記録再生部から該第１の情報記録再生部と異なる第２の情報記録再生部への情報のダビング起動時に、前記第１の情報記録再生部が再生可能な状態になったか否かを検知し、再生可能な状態になった旨を検知した時点で、前記第２の情報記録再生部の記録処理を開始するとともに、前記第１の情報記録再生部に再生処理を開始する旨の指示を与える制御を行う制御部を有する記録再生複合機が提供される。
【００１７】
上記記録再生複合機によれば、ダビング起動時に再生側が再生可能な状態になった旨を検知した時点で前記第２の情報記録再生部の記録処理を開始するため、まだ再生可能でないにもかかわらず記録を開始してしまうことがない。
【００１８】
本発明のさらに別の観点によれば、情報の記録と再生とが可能な情報記録再生部を複数内蔵する記録再生複合機であって、複数の前記記録再生部間における記録再生処理を制御する制御部であって、第１の情報記録再生部から該第１の情報記録再生部と異なる第２の情報記録再生部への情報のダビング起動時に、前記第１の情報記録再生部が再生可能な状態になったか否かを検知し、再生可能な状態になった旨を検知した時点で、前記第２の情報記録再生部を記録処理が可能な状態にする制御を行う制御部を有する記録再生複合機が提供される。
【００１９】
上記記録再生複合機によれば、ダビング起動時に再生側が再生可能な状態になった旨を検知した時点で前記第２の情報記録再生部を記録処理が可能な状態にするため、正確な位相合わせが可能となる。
【００２０】
また、情報の記録と再生とが可能な情報記録再生部を複数内蔵する記録再生複合機であって、複数の前記記録再生部間における記録再生処理を制御する制御部であって、第１の情報記録再生部から該第１の情報記録再生部と異なる第２の情報記録再生部への情報のダビング処理における少なくとも外部からのダビング開始指示を受け付けてから実際のダビング処理が実行されるまでの準備期間中、ダビング処理の準備中である旨を報知する出力を行うための制御を行う制御部を有する記録再生複合機が提供される。
【００２１】
上記再生記録複合機では、ダビング準備期間中にその旨をユーザに報知することで、ユーザに現状を認識してもらうことができ、誤操作を防止できる。尚、前記制御部は、前記準備期間中、他の処理に関する指示の受付けを禁止する制御を行うのが好ましい。
【００２２】
【発明の実施の形態】
以下に、本発明の実施の形態による記録再生複合機について図面を参照して説明する。図１は、本発明の実施の形態による記録再生複合機の正面図である。図１に示すように、本実施の形態による記録再生複合機Ａは、種々の機能を内蔵する箱体１と、ＶＴＲ記録再生部３と、ＤＶＤ−Ｒ／ＲＷ記録再生部５と、各種スイッチ部７と、ＶＴＲ側表示パネル／ＬＥＤ１１ａと、ＤＶＤ−Ｒ／ＲＷ側表示パネル／ＬＥＤ１１ｂと、リモコン受光部１２と、を有している。
【００２３】
記録再生複合機Ａとは別に、一般的に図２（Ａ）、（Ｂ）に示すリモートコントロール装置１５が別途備えられている。図２（Ａ）、（Ｂ）に示すように、リモートコントロールスイッチ１５は、ビデオ切替スイッチ１５ａ−１とＤＶＤ切替スイッチ１５ａ−２とを含むリモコン切替スイッチ１５ａと、ＴＶチャネル選局スイッチ１５ｂと、ダビング方向キー１５ｃであって、ビデオ→ＤＶＤ切り替えスイッチ１５ｃ−１、ＤＶＤ→ビデオ切り替えスイッチ１５ｃ−２を有するダビング方向キーと、ダビング開始キー１５ｄと、を有している。また、上述のように、リモートコントロール装置１５のみでも、ＶＴＲ記録再生部３と、ＤＶＤ−Ｒ／ＲＷ記録再生部５との記録再生操作が可能である。
【００２４】
尚、記録再生複合機としては、ＶＴＲ部とＤＶＤ−ＲＷ部とを記録再生部として備えた機器を例として実施の形態において説明するが、複数の記録再生器を備えておりその他の組み合わせを有する機器も記録再生複合機に含まれる。もちろん、記録又は再生のみが可能な装置を含んでいても良い（例えば、一方が、ＣＤ−ＲＯＭやＤＶＤ−ＲＯＭなどの再生専用装置（部）である場合）。また、記録再生複合機は、一般的なディスプレイ（表示画面）、例えばＣＲＴや液晶画面などによるディスプレイと一体化されていても良い。
【００２５】
図３は、本実施の形態による記録再生複合機の主要構成例を示す機能ブロック図である。図１も参照して図３に示す構成を説明すると、図３に示すように、本実施の形態による記録再生複合機Ａは、箱体１と、ＶＴＲ記録再生部３と、ＤＶＤ−Ｒ／ＲＷ記録再生部５と、主としてＶＴＲ側の動作を表示するＶＴＲ側表示パネル／ＬＥＤ１１ａと、主としてＤＶＤ側の動作を表示するＤＶＤ−Ｒ／ＲＷ側表示パネル／ＬＥＤ１１ｂと、Ｒ／Ｃ（リモコン）受光部１２と、外部入力インターフェイス部３１ａと、チューナ部３１と、内部入力スイッチ３３と、外部出力スイッチ３５と、共通出力端子３７と、制御部（マイコン）４１と、を含んで構成されている。実際には、後述のように、各種構成要素間に信号配線が設けられている。記録再生複合機と別体又は一体に出力再生部４５が設けられている。出力再生部４５は、映像を表示する表示部４５ａと、音声を出力するスピーカ部４５ｂとを含んで構成されるのが一般的である。
【００２６】
ここで、例えばＶＴＲ記録再生部３を再生側とし、ＤＶＤ−Ｒ／ＲＷ記録再生部５を記録側とすると、再生側のストリームは２種類の音声信号を記録再生可能であるのに対して、記録側のストリームは、ＤＶＤ−Ｒでは１種類しか記録ストリームがないため、音声情報に関して１種類しか記録できない。このようなケース、すなわち、再生側と記録側とのストリームが異なる場合、特に記録側のストリームが再生側のストリームよりも少ない場合にユーザの意図と異なる情報が記録されてしまうとうような問題が生じやすい。
【００２７】
上記記録再生複合機の動作について説明する。通常、外部のテレビジョン放送の内容を記録する場合には、ユーザは、まず使用する記録メディアを選択する。ＶＴＲテープに放送内容を記録する場合には、ＶＴＲ記録再生部３を用いる。ＤＶＤ−Ｒメディア又はＤＶＤ−ＲＷメディアに放送内容を記録する場合には、ＤＶＤ−Ｒ／ＲＷ記録再生部５を用いる。放送内容はチューナ３１により選局され内部入力スイッチ３３により切り替えられて、ＶＴＲ記録再生部３又はＤＶＤ−Ｒ／ＲＷ記録再生部５に送られる。
【００２８】
ＶＴＲテープに記録された情報内容を再生する場合には、ＶＴＲ記録再生部３が再生側となり、ＤＶＤ−Ｒメディア又はＤＶＤ−ＲＷメディアに記憶された情報内容を再生する場合には、ＤＶＤ−Ｒ／ＲＷ記録再生部５が再生側となる。再生された信号は、出力端子３７を介して出力再生部４５に対して出力される。再生信号のうち映像情報は表示部４５ａにおいて、音声情報はスピーカ部４５ｂにおいて再生される。
【００２９】
ＶＴＲテープに記録された情報内容をＤＶＤ−Ｒメディア又はＤＶＤ−ＲＷメディアにダビングする場合には、まず、ＤＶＤ−Ｒメディア又はＤＶＤ−ＲＷメディアの内容を確認し、ダビングしても良いメディアであるか否かを確認する。ＤＶＤ−Ｒメディア又はＤＶＤ−ＲＷメディアを確認した後に、ユーザは例えばリモコン装置に設けられたダビング方向キー１５ｃをＶＴＲ→ＤＶＤの方向（１５ｃ−１）にして入力する。ダビング方向キー１５ｃがＶＴＲ→ＤＶＤの方向で入力されダビング開始キー１５ｄを押したことをＲ／Ｃ受光部１２を介して制御部４１が検出すると（信号線路Ｌ１）、制御部４１は、ＶＴＲ記録再生部３から信号線路Ｌ４−１とＬ４−２とを介して記録側のＤＶＤ−Ｒ／ＲＷ記録再生部５に入力させる方にスイッチングさせる指示を内部入力スイッチ３３に対して行うとともに、記録側のＤＶＤ−Ｒ／ＲＷ記録再生部５が信号を外部に出力するように外部出力スイッチ３５に対して指示を行う（Ｌ４−３→Ｌ４−４→Ｌ４−５）。
【００３０】
本実施の形態による記録再生複合機では、ＶＴＲ→ＤＶＤダビング起動時に、記録側のＤＶＤ−Ｒ／ＲＷ記録再生部５に実際に入力されている信号の内容をそのまま外部に出力する（Ｌ４−１〜Ｌ４−５）ように制御するため、ユーザは、実際に記録されている情報内容を表示部４５ａなどにより確認することができる。従って、ダビング起動時に、これから実際にダビング記録される予定の情報の実際の内容を画面表示又は音声などにより予め知ることも可能であり、ダビングにより誤って異なる内容を記録するのを防止できるという利点がある。
【００３１】
尚、上記ダビング起動時の切替えは、ユーザのダビング処理開始イベントを行った際、例えば、リモコン１５のダビング開始キー１５ｄを押した際に自動的に行われるのが好ましい。
【００３２】
次に、本発明の第２の実施の形態による再生記録複合機について図面を参照しつつ説明する。本実施の形態による再生記録複合機の基本的な構成は、第１の実施の形態による再生記録複合機と同様である。そこで、本実施の形態による再生記録複合機についても図１〜図２及び図４を参照して説明する。
【００３３】
図４は図３に対応する図であり、図４に示すように、本実施の形態による再生記録複合機には、ＶＴＲ側表示パネル／ＬＥＤ１１ａと、ＤＶＤ−Ｒ／ＲＷ側表示パネル／ＬＥＤ１１ｂと、が設けられている。図２に示すリモコン装置などを用いて、例えば、ＶＴＲ→ＤＶＤダビング方向キー１５ｃ−１を入力し、ダビング開始キー１５ｄを押すと、その旨を制御部４１が検出する。制御部４１は、ＶＴＲ記録再生部３からの再生出力信号をＤＶＤ−Ｒ／ＲＷ記録再生部５に対して出力するように（Ｌ１４−１→Ｌ１４−２）内部入力スイッチ３３に対して指示するとともに（Ｌ１２）、記録側の再生出力信号をＤＶＤ−Ｒ／ＲＷ記録再生部５からの出力を外部に出力するように外部出力スイッチ３５に対して指示する（Ｌ１４−３〜Ｌ１４−５）。さらに、制御部４１は、ＤＶＤ−Ｒ／ＲＷ側表示パネル／ＬＥＤ１１ｂ又は出力再生部４５の少なくともいずれか一方に、入力信号がＶＴＲからの信号である旨を表示するように制御する。ＤＶＤ−Ｒ／ＲＷ側表示パネル／ＬＥＤ１１ｂ又は表示部４５ａには、例えば、“ＶＴＲ”と表示される。これにより、ユーザは、ＤＶＤ−Ｒ／ＲＷ記録再生部５に現在記録されている信号がＶＴＲ記録再生部３からの再生（出力）信号であることを認識することができる。
【００３４】
一方、ＤＶＤ−Ｒ／ＲＷ記録再生部５に挿入されたＤＶＤ−Ｒ／ＲＷに記録されている情報をＶＴＲにダビングする場合には、例えば、ＶＴＲ側表示パネル／ＬＥＤ１１ａにおいて、“ＤＶＤ”と表示される（Ｌ１５）。ＤＶＤ−Ｒ／ＲＷ記録再生部５に挿入された記憶媒体がビデオＣＤであれば、例えば“ＶＣＤ”と、一般的なＣＤであれば“ＣＤ”と、表示される。表示の態様は、必ずしも文字のみでなくても良く、ユーザが認識可能であれば良い。尚、記録メディアの種類に代えて、或いは、記録メディアの種類とともに、記録メディアに記録されている記録形態（属性情報）を表示しても良い。例えば、ＶＣＤであれば、“ＡＶＩ”、“ＭＰＥＧ１”、“ＤＶＤであれば、”ＭＰＥＧ２”、音楽ＣＤであれば、“ＷＡＶ”、“ＭＰ３”などと表示させても良い。
【００３５】
本実施の形態による記録再生装置を用いると、ダビング起動時における再生機器側内において再生される記録メディアの種類などの属性情報をユーザが知ることができるため、ダビングの際のメディアの間違えを未然に防止することができ、特に種々の記録メディアの種類や記録形態に対応可能な記録再生複合機においては極めて有効な表示をさせることができる。
【００３６】
尚、予めダビングが可能な記録形態をメモリに記憶させておき、記録側のメディアが表示されている再生側のメディアの記録形態（再生側の記録形態）に対応していない場合には、メモリの内容を参照した制御部の指示により、その旨の注意を喚起するような表示を行わせても良い。
【００３７】
次に、本発明の第３の実施の形態による記録再生複合機について説明する。本実施の形態による記録再生複合機も、その基本構成は第１及び第２の実施の形態による記録再生複合機と同様であり、従って、図１及び図２と、図３又は図４に対応する図５と、を参照して説明を行う。一般的に、記録再生複合機においては、映像信号や音声信号が記録／再生される。ここで、記録メディアのフォーマットにより記録準備時間が規定されており、記録メディアにより記録準備時間が異なる場合が多い。例えば、ＤＶＤ−Ｒフォーマットの場合、ＤＶＤの録画準備（例えば、録画に関する記録を行う）に最大１０秒間のインターバル期間が必要なため、ＶＴＲからＤＶＤへのダビング時に、ＶＴＲの再生が１０秒間経過後にＤＶＤの録画が開始され、ダビングしたい情報の頭の部分がＤＶＤに録画されない場合がある。ＤＶＤ−ＲＷフォーマットの場合では、インターバル期間は最大１秒程度である。この点で、高速に立ち上がるハードディスクドライブとはかなり異なる。
【００３８】
そこで、本実施の形態による記録再生複合機における制御部４１は、記録側の機器、例えば、ＤＶＤ−Ｒ／ＲＷ記録再生部５の記録準備が完了した旨を知らせる記録スタンバイＯＫ信号（Ｌ２１）を、ＤＶＤ−Ｒ／ＲＷ記録再生部５が制御部４１に出力し、制御部４１は、記録スタンバイＯＫ信号を受けた後にＶＴＲ記録再生部３に対して再生開始命令（Ｌ２２）を出力するとともに、その後に、ＤＶＤ−Ｒ／ＲＷ記録再生部５に対して録画開始命令（Ｌ２３）を出力する。
【００３９】
これにより、実際にＤＶＤ−Ｒ／ＲＷ記録再生部５が記録動作を行う準備が整った後に、ＶＴＲ記録再生部３による再生処理とＤＶＤ−Ｒ／ＲＷ記録再生部５による記録処理とが開始され再生処理と記録処理との自動的な位相合わせにより再生／記録のタイミングを合わせることができる。従って、再生と記録の位相合わせが簡単にでき、例えば、再生情報の頭の部分が実際の記録メディアには記録されないというような問題が解消する。特に、上記の動作を自動的に行えば、ユーザには意識させずに処理を進めることができる。その後は、例えば第１の実施の形態と同様にダビング処理が行われるとともに、例えば、信号経路Ｌ２４−１〜５までの経路を経て、記録されている側の信号を出力再生部４５に出力すれば、ユーザは記録情報を確認することができる。
【００４０】
尚、スタンバイＯＫ信号は、ＤＶＤ−Ｒ／ＲＷ記録再生部５の特性、記録メディアの特性などにより異なる場合があるため、それに合わせて信号を識別できるように構成するのが好ましい。
【００４１】
次に、本発明の第４の実施の形態による記録再生複合機について説明する。本実施の形態による記録再生複合機も、その基本構成は第１及び第２の実施の形態による記録再生複合機と同様であり、従って、図１及び図２と、図３〜図５に対応する図６と、を参照して説明を行う。一般的に、記録再生複合機においては、映像信号や音声信号を記録／再生する。ここで、再生側の機器の仕様などにより、再生準備時間が異なる場合も多い。例えば、ＶＴＲの場合、サーボモータの安定化のために例えば最大で１０秒程度の時間が必要になる。ＶＴＲによる再生準備が完了する前に記録側のＤＶＤ−Ｒによる記録処理が開始されてしまうと、ＶＴＲによる再生準備期間だけダビングしたい情報がＤＶＤ−Ｒ（Ｗ）に記録できないという問題が生じる。
【００４２】
そこで、図６に示すように、本実施の形態による記録再生複合機における制御部４１においては、再生側の機器、例えばＶＴＲ記録再生部３が、再生準備が完了した旨を知らせる再生スタンバイＯＫ信号を制御部４１に対して出力し（Ｌ３１）、制御部４１は、この再生スタンバイＯＫ信号を受けた後に、ＶＴＲ記録再生部３に対して再生開始命令（Ｌ３２）を出力するとともに、ＤＶＤ−Ｒ／ＲＷ記録再生部５に録画開始命令を出力する（Ｌ３３）。
【００４３】
これにより、実際にＶＴＲ記録再生部３が再生動作を行う準備が整った後に、ＶＴＲ記録再生部３による再生処理と、ＤＶＤ−Ｒ／ＲＷ記録再生部５による記録処理と、が開始されるため、再生処理と記録処理との自動的な位相合わせにより再生／記録のタイミングを合わせることができ、再生情報の頭の部分が実際の記録メディアには記録されないという問題を解決することができる。特に、上記の動作を自動的に行えば、ユーザには意識させずに処理を進めることができる。その後は、例えば第１の実施の形態と同様にダビング処理が行われるとともに、例えば、信号経路Ｌ３４−１〜５までの経路を経て、記録されている側の信号を出力再生部４５に出力させれば、ユーザは記録情報を確認することができる。
【００４４】
次に、本発明の第５の実施の形態による記録再生複合機について説明する。本実施の形態による記録再生複合機も、その基本構成は第１から第４までの各実施の形態による記録再生複合機と同様であり、従って、図１から図２及び図３〜図６までに対応する図７と、を参照して説明を行う。第３の実施の形態と第４の実施の形態においても説明したように、記録側の記録準備時間と再生側の再生準備時間とが異なる場合も多い。例えば、ＤＶＤ−ＲＷでは記録準備までに要する時間は１秒程度であり、ＶＴＲの場合、例えばサーボモータの安定化のために最大で１０秒程度の時間が必要になる。このように、記録側の記録準備時間と再生側の再生準備時間とが異なる場合に、例えば、ＶＴＲによる再生準備が完了する前に記録側のＤＶＤ−ＲＷによる記録処理が開始されてしまうと、ＶＴＲによる再生準備期間だけダビングしたい情報がＤＶＤ−ＲＷに記録できないという問題が生じる。
【００４５】
そこで、本実施の形態による記録再生複合機における制御部４１においては、再生側の機器、例えば、ＶＴＲ記録再生部３が、ＶＴＲ記録再生部３の再生準備が完了した旨を知らせる再生スタンバイＯＫ信号を制御部４１に出力し（Ｌ４１）、ＤＶＤ−Ｒ／ＲＷ記録再生部５の記録準備が完了した旨を知らせる記録スタンバイＯＫ信号を、ＤＶＤ−Ｒ／ＲＷ記録再生部５が制御部４１に出力し（Ｌ４２）、制御部４１は、再生スタンバイＯＫ信号と記録スタンバイ信号との両方を受けた後に、ＶＴＲ記録再生部３に対して再生開始命令を出力するとともに（Ｌ４３）、ＤＶＤ−Ｒ／ＲＷ記録再生部５に対して録画開始命令を出力する（Ｌ４４）。これらの一連の動作は自動的に行われるのが好ましい。
【００４６】
これにより、実際にＶＴＲ記録再生部３が再生動作とＤＶＤ−Ｒ／ＲＷ記録再生部５の記録動作との両方の準備が整った後に、ＶＴＲ記録再生部３による再生処理とＤＶＤ−Ｒ／ＲＷ記録再生部５による記録処理とが開始されるため、再生処理と記録処理との自動的な位相合わせができるため再生／記録のタイミングを合わせることができ、再生情報の頭の部分が実際の記録メディアには記録されないという問題を解決することができる。
【００４７】
その後は、例えば第１の実施の形態と同様にダビング処理が行われるとともに、例えば、信号経路Ｌ４０−１〜５までの経路を経て、記録されている側の信号を出力再生部４５に出力すれば、ユーザは記録情報を確認することができる。
【００４８】
次に、本発明の第６の実施の形態による記録再生複合機について、第５の実施の形態と同様に、図１、２と、図７と、を参照して説明する。本発明の第３〜５の実施の形態による記録再生複合機においては、ＶＴＲ記録再生部３の再生準備完了又はＤＶＤ−Ｒ／ＲＷ記録再生部５の記録準備完了までダビングの実行を遅延させることになる。例えば、ユーザがリモコン装置１５のダビング開始キー１５ｄを押した後に、実際のダビング動作が開始するまでに、最大で１０秒程度の時間が必要になる。この間、ダビング開始キー１５ｄ（図２）を押したが実際に機器がダビング開始動作状態に入っているか否かを、ユーザは知ることができないと、ユーザが再びダビング開始キー１５ｄを押してしまう可能性もある。一般的には、このダビング開始キー１５ｄは、ダビング処理の開始と終了とのボタンを兼ねているため、例えばダビング開始動作状態において再度ダビング開始キー１５ｄが押されると、ダビング開始動作状態が解除される仕様の場合には、ダビング処理自体が終了してしまう場合が多い。
【００４９】
そこで、本実施の形態による記録再生複合機においては、ユーザがダビング開始キー１５ｄを押すことによりＲ／Ｃ受光部１２を介して制御部４１においてダビング処理命令が受け付けられ、実際にダビング開始状態に入っている場合には、ＶＴＲ記録再生部３又はＤＶＤ−Ｒ／ＲＷ記録再生部５の少なくとも何れか一方が実際に動作していない場合であっても、機器がユーザのダビング開始指令を受け付けた旨をユーザに報知する。例えば、ダビング開始キー１５ｄが押されたことを制御部４１が検知すると、制御部４１は、ＶＴＲ記録再生部３とＤＶＤ−Ｒ／ＲＷ記録再生部５とに対して、再生準備又は録画準備を行うように命令を行うと共に（Ｌ４１，Ｌ４２）、ＶＴＲ側表示パネル／ＬＥＤ１１ａ又はＤＶＤ−Ｒ／ＲＷ側表示パネル／ＬＥＤ１１ｂに対して、ダビング処理の準備を開始している状態である旨の表示を行うように指示する（Ｌ４３、Ｌ４４）。この指示に従い、表示部４５ａに表示する。尚、ＶＴＲ側表示パネル／ＬＥＤ１１ａ又はＤＶＤ−Ｒ／ＲＷ側表示パネル／ＬＥＤ１１ｂの少なくともいずれか一方に上記の表示をしても良い。
【００５０】
この表示を確認することにより、ユーザは、ＶＴＲ記録再生部３とＤＶＤ−Ｒ／ＲＷ記録再生部５が動作を開始していなくても、現在、ダビング命令が正常に受け付けられ実行の準備がなされている状態であることを知ることができるため、ユーザは、自分が再びダビング開始キー１５ｄを押す必要はないことを認識することができる。
【００５１】
その後は、例えば第１の実施の形態と同様にダビング処理が行われるとともに、例えば、信号経路Ｌ４０−１〜５までの経路を経て、記録されている側の信号を出力再生部４５に出力すれば、ユーザは記録情報を確認することができる。
【００５２】
尚、上記ダビング準備中である旨の表示に代えて又はこの表示とともに、ダビング準備中は、ユーザからのダビング開始キー１５ｄによる指示を制御部４１が受け付けないように設定しておいても良い。表示又は受付を禁止する期間としては、ダビング開始キー１５ｄを押してから実際に再生処理が開始するまでの期間であれば良い。
【００５３】
以上説明したように、本発明の各実施の形態による記録再生複合機によれば、一方の記録再生部から他方の記録再生部にダビングする場合における種々の問題点を解決することができる。
【００５４】
以上、本実施の形態に沿って説明したが、本発明はこれらの例に限定されるものではなく、種々の変形が可能であるのは言うまでもない。媒体としては、ＣＤ−Ｒ（Ｗ）、ＤＶＤ−Ｒ／ＲＷ、ＤＶＤ−ＲＡＭ、ＭＤ、不揮発性メモリカード、ハードディスクカードなどの種々の記録再生可能な情報記録媒体に適用可能である。媒体の種類などにより仕様が変更されたとしても、本発明の技術思想の範囲内において本発明の思想が適用可能であることは言うまでもない。
【００５５】
【発明の効果】
本発明の記録再生複合機によれば、記録されている情報を出力することにより、ダビング起動時にダビング処理における設定誤りに気が付くことができる。また、ダビング起動時に再生側のメディアの種類又はフォーマットの種類を表示させることにより、再生側のメディア又は機器の選択の間違いを未然に防止することができる。
【００５６】
さらに、記録側又は再生側の少なくとも一方のスタンバイが終了した後にダビング処理を実際に開始することにより、記録と再生とのタイミングを合わせることができる。また、ダビング処理が受付けられた旨を表示することにより、ダビング処理が進められている旨をユーザが簡単に認識することができる。
【図面の簡単な説明】
【図１】本発明の実施の形態による記録再生複合機の正面図である。
【図２】本発明の実施の形態による記録再生複合機に制御を行うリモートコントロール装置の概略構成図である。
【図３】本発明の第１の実施の形態による記録再生複合機の内部構成例を示す機能ブロック図である。
【図４】本発明の第２の実施の形態による記録再生複合機の内部構成例を示す機能ブロック図である。
【図５】本発明の第３の実施の形態による記録再生複合機の内部構成例を示す機能ブロック図である。
【図６】本発明の第４の実施の形態による記録再生複合機の内部構成例を示す機能ブロック図である。
【図７】本発明の第５及び第６の実施の形態による記録再生複合機の内部構成例を示す機能ブロック図である。
【符号の説明】
Ａ…記録再生複合機、１…箱体、３…ＶＴＲ記録再生部、５…ＤＶＤ−Ｒ／ＲＷ記録再生部、７…各種スイッチ部、１１ａ…ＶＴＲ側表示パネル／ＬＥＤ、１１ｂ…ＤＶＤ−Ｒ／ＲＷ側表示パネル／ＬＥＤ、１２…リモコン受光部、１５…リモートコントロール装置、３１ａ…外部入力インターフェイス部、３１…チューナ部、３３…内部入力スイッチ、３５…外部出力スイッチ、３７…出力端子、４１…制御部、４５…出力再生部、４５ａ…表示部、４５ｂ…スピーカ部。
【図１】
2004234705.tif 000003
【図２】
2004234705.tif 000004
【図３】
2004234705.tif 000005
【図４】
2004234705.tif 000006
【図５】
2004234705.tif 000007
【図６】
2004234705.tif 000008
【図７】
2004234705.tif 000009